【手続補正書】
【提出日】平成18年1月12日(2006.1.12)
【手続補正１】
【補正対象書類名】明細書
【補正対象項目名】００３２
【補正方法】変更
【補正の内容】
【００３２】
制御回路９は、メモリ３、ＲＡＭ２１ａ〜２１ｃ、レジスタ２２ａｄ〜２２ｃｅ、レジスタ２３ａａ〜２３ｃｃ、第１の選択部２６、及び第２の選択部２７を制御し、それによってメモリ３から第１の一時記憶部２１及び第２の一時記憶部２２への画素データの転送、第１の一時記憶部２１及び第２の一時記憶部２２から第３の一時記憶部２３への画素データの転送、及び第３の一時記憶部２３から演算回路２０への画素データの転送を実行する。また、制御回路９は演算回路２０を制御して演算処理と生成された画素データのＳＲＡＭ５への転送を実行する。
【手続補正２】
【補正対象書類名】明細書
【補正対象項目名】００５０
【補正方法】変更
【補正の内容】
【００５０】
続いて、ステップＳ１３−７において、前回にメモリ３から読み出し、第１の一時記憶部２１のＲＡＭ２１ａ〜２１ｃ及び／又は第２の一時記憶部２２のレジスタ２２ａｄ〜２２ｃｅに書き込んだ画素データが、画像ブロック１３の最初の３行のラインに属する画素であるか否かが判断される（条件３）。当該画素データが最初の３行のラインに属さない場合には、ステップＳ１３−８において読み出し方向は水平方向に決定される。一方、当該画素データが最初の３行のラインに属する場合には、ステップＳ１３−９において読み出し方向は垂直は方向に決定される。このように読み出し中の画素１２が画像ブロックの最初のラインの画素であるか否かに基づいて、読み出し方向が決定される。
【手続補正３】
【補正対象書類名】明細書
【補正対象項目名】００５２
【補正方法】変更
【補正の内容】
【００５２】
ステップＳ１２−１においてメモリ３からの読み出しを実行した後、ステップＳ１２−２において、前回生成した出力画素が画像ブロック１３’中のラインの最後尾の出力画素であるか否か、すなわちライン更新時であるか否かが判断される。当該出力画素がラインの最後尾の画素でない場合、すなわちライン更新時でない場合には、ステップＳ１２−７に移行する。一方、ライン更新時である場合には、ステップＳ１２−３に移行する。
【手続補正４】
【補正対象書類名】明細書
【補正対象項目名】００５３
【補正方法】変更
【補正の内容】
【００５３】
ライン更新時でない場合はステップＳ１２−７及びＳ１２−８が実行される。まず、ステップＳ１２−７において、第３の一時記憶部２３の画素データを１つシフトする。例えば、レジスタ２３ａａ〜２３ａｃについては、レジスタ２３ａａの画素データがレジスタ２３ａｂにシフトされ、レジスタ２３ａｂの画素データがレジスタ２３ａｃにシフトされる。次に、ステップＳ１２−８において、第１の一時記憶部２１に記憶された画素データを読み出して、第３の一時記憶部２３に記憶させる。詳細には、ＲＡＭ２１ａ〜２１ｃから画素データを読み出し、レジスタ２３ａａ，２３ｂａ，２３ｃａに書き込む。
【手続補正５】
【補正対象書類名】明細書
【補正対象項目名】００５７
【補正方法】変更
【補正の内容】
【００５７】
まず、図１５及び図１６は、１フレームの画像の（６２，６３）の出力画素が生成される時刻ｔから時刻ｔ＋１４３までの各時刻におけるＹＣ処理回路４の動作状態を示している。図１５及び図１６において、項目１はメモリ３からＲＡＭ２１ａ〜２１ｃやレジスタ２２ａｄ〜２２ｃｅへの画素データのロード方法を示している。項目２はメモリ３から読み出した画素データの書き込み先を示している。項目３はメモリ３からＲＡＭ２１ａ〜２１ｃ等に書き込む画素である。項目４及び項目５は、単位時間に２個の画素１２の画素データを読み出す場合の、画素データの書き込み先と読み出される画素である。項目６及び項目７は、その時刻のＲＡＭ２１ａ〜２１ｂの読み出しポイント及び書き込みポイント（図７参照）である。項目８は第１の選択部２６の切替状態である。項目９は出力画素である。
【手続補正６】
【補正対象書類名】明細書
【補正対象項目名】００６７
【補正方法】変更
【補正の内容】
【００６７】
図２２は、時刻ｔ＋１のステップＳ１２−１において画素（６４，６６）の画素データをメモリ３からＲＡＭ２１ｃに書き込んだ直後、すなわち第３の一時記憶手段２３をシフトする直前の第３の一時記憶手段２３に保持されている画素データの状態を示している。レジスタ２３ａａ〜２３ａｃには画素（６２，６４）〜（６４，６４）が保持され、レジスタ２３ｂａ〜２３ｂｃには画素（６２，６５）〜（６４，６５）が保持され、レジスタ２３ｃａ〜２３ｃｃには画素（６２，６３）〜（６４，６３）が保持されている。演算回路２０は、時刻ｔにおいて、これらの９画素の画素データから画素（６２，６３）を新たに生成して出力している。
【手続補正７】
【補正対象書類名】明細書
【補正対象項目名】００６９
【補正方法】変更
【補正の内容】
【００６９】
図２４は、時刻ｔ＋１のステップＳ１２−８直後に第３の一時記憶部２３に保持されている画素データの状態を示している。ステップＳ１２−８では、ＲＡＭ２１ｃから画素（６５，６３）を読み出してレジスタ２３ｃａに書き込み、ＲＡＭ２１ａから画素（６５，６４）を読み出してレジスタ２３ａａに書き込み、ＲＡＭ２１ｂから画素（６５，６５）を読み出してレジスタ２３ｂａに書き込む。ステップＳ１２−７で６個の画素（６３，６４）〜（６４，６５）が既に第３の一時記憶部２３に記憶済みであるので、９個の画素（６３，６４）〜（６５，６５）が第３の一時記憶部２３に記憶されたことになる。画素（６５，６３）の画素データをＲＡＭ２１ｃから読み出すのはこれが最後なので、以後画素（６５，６３）の画素データをＲＡＭ２１ｃに記憶しておく必要はない。すなわち、画素（６５，６３）の画素データを上書きによって消去しても以後の画像処理上支障をきたすことはない。
【手続補正８】
【補正対象書類名】明細書
【補正対象項目名】００７４
【補正方法】変更
【補正の内容】
【００７４】
図２９は、時刻ｔ＋３のステップＳ１２−４において第１の一時記憶部２１のＲＡＭ２１ａ〜２１ｃから３個の画素（３，６４）〜（３，６６）の画素データを読み出して第３の一時記憶部２３に書き込んだ直後の、第３の一時記憶部２３に保持されている画素データの状態を示している。第３の一時記憶部２３の画素データが図２９の状態となった後、ステップＳ１２−５において第２の選択部２７を切り替える。具体的には、レジスタ２３ａａ〜２３ａｃを乗算器３１ａに、レジスタ２３ｂａ〜２３ｂｃを乗算器３１ｂに、レジスタ２３ｃａ〜２３ｃｃを乗算器３１ｃに、それぞれ接続するように第２の選択部２７を切り替える。その後、ステップＳ１２−６において、第３の一時記憶部２３に記憶された９個の画素の画素データが演算回路２０にされ、出力画素（１，６４）が生成される。なお、上記の動作終了後、第１の選択部２６の設定は上位置に戻される。
【手続補正９】
【補正対象書類名】明細書
【補正対象項目名】００８０
【補正方法】変更
【補正の内容】
【００８０】
時刻ｔ＋６〜ｔ＋９では、時刻ｔ＋５と同様に、メモリ３から第１及び第２の一時記憶部２１，２２に対して垂直方向に読み出された画素データが書きこまれる（図１０の矢印Ｃ参照）。また、時刻Ｔ＋６〜Ｔ＋９間に、４個の出力画素（４，６７）〜（７，６４）が生成される。図３６に示すように、時刻ｔ＋１０のステップＳ１２−１直前では、６個の画素（６５，１）〜（６６，３）の画素データが第２の一時記憶部２２に記憶されている。また、画素（６７，１）、（６８，１）がＲＡＭ２１ａに、画素（６７，２）、（６８，２）がＲＡＭ２１ｂに、画素（６７，３）がＲＡＭ２１ｃに、それぞれ記憶されている。